(57)【要約】【課題】遊技者が、リールテープの左側突出部又は右側突出部を目押しの目印として、回転リールの回転を停止させることが可能なスロットマシンを提供する。【解決手段】全ての回転リール40を停止させたとき所定の停止表示態様を構成する複数の図柄51を特定図柄52とし、リールテープ30に、所定の特定図柄52の表示位置に対応して、左端部から左方向へ向けて突出した左側突出部81と、左側突出部81が設けられている所定の特定図柄52以外の他の特定図柄52の表示位置に対応して、右側端部から右方向へ向けて突出した右側突出部82とを備え、表示領域14aを、左側突出部81及び右側突出部82の通過が視認可能に形成し、スロットマシン10には、表示領域14a内における左側突出部81及び右側突出部82が通過する領域である突出部通過領域84のうち、所定の突出部通過領域84を指示するリール停止指示表示部70を設けた。【選択図】図５
2008229110.tif 000002
【特許請求の範囲】
【請求項１】
複数の図柄が表示されているリールテープが周囲に貼付された複数個の回転リールと、
リールテープの図柄が視認可能に形成された表示領域を有する表示窓とを備えたスロットマシンであって、
リールテープに表示された図柄のうち、全ての回転リールを停止させたとき、所定の停止表示態様を構成する複数の図柄を特定図柄とし、
リールテープは、
所定の特定図柄の表示位置に対応して、左右の幅方向の左端部から左方向へ向けて突出して設けられた左側突出部と、左側突出部が設けられている所定の特定図柄以外の他の特定図柄の表示位置に対応して、左右の幅方向の右側端部から右方向へ向けて突出して設けられた右側突出部とを備え、
表示領域は、左側突出部及び右側突出部の通過が視認可能に形成され、
スロットマシンには、
前記表示領域内における左側突出部及び右側突出部が通過する領域である突出部通過領域のうち、所定の突出部通過領域を指示するためのリール停止指示表示部が設けられていることを特徴とするスロットマシン。
【請求項２】
リールテープは、３種類以上の前記特定図柄を有するとともに、２種類以上の特定図柄であって、回転リールの回転を停止させるための操作が行われてから回転リールの回転が停止するまでの間に、回転リールの移動可能なコマ数の範囲内に表示されている近接特定図柄を有し、
近接特定図柄の表示位置に対応して左側突出部及び右側突出部のうち少なくとも一方が設けられていることを特徴とする請求項１記載のスロットマシン。
【発明の詳細な説明】
【技術分野】
【０００１】
この発明は、スロットマシンに関し、更に詳しくは、所定の図柄を容易に停止表示させるように回転リールを停止させることが可能なスロットマシンに関する。
【背景技術】
【０００２】
従来より、回転リールを有する遊技機であるスロットマシン等では、複数の図柄を表示した回転リールを複数個備えるとともに、回転リールにおける図柄の組み合わせにより構成される当選役を抽選により決定するための抽選手段を備えている。そして、抽選手段による抽選の結果、所定の当選役に当選するとともに、遊技者が所定のスイッチ（ストップスイッチ）を操作することにより回転リールが停止した際、予め定められた有効ライン上に当選役を構成する図柄が並んだ場合に入賞となり、遊技者に様々な利益を供与するものとなっている。
しかし、スロットマシン等では、回転リールは高速で回転しており、例えば、ビッグボーナス等の当選役を構成する単一図柄（例えば、「７」）は、瞬時に遊技者の目の前と通りすぎていくため、単一図柄である当選役を構成する図柄を狙って停止させることは困難であった。
【０００３】
また、特許文献１に開示されている遊技機では、リールの外周面に配置された複数図柄のうち、特定図柄が配置されたリールテープの端部を、その基準線から、隣接するリールの回転を妨げない位置まで拡張してリールに捲装して成ることにより、目押しをアシストすることができ、遊技に不慣れな初心者にも目押し操作を容易化させることができるとされている。
【特許文献１】特開２００５−２４５６０３
【発明の開示】
【発明が解決しようとする課題】
【０００４】
しかし、例えば、ビッグボーナス等の当選役を構成する単一図柄を、多数設けた場合（当選役を構成する単一図柄として、例えば、赤色に着色された「７」、青色に着色された「７」及び緑色に着色された「７」等の図柄を設けた場合）には、単一図柄である当選役を構成する図柄を狙って停止させることが、さらに困難になり、遊技に不慣れな初心者にも目押し操作を容易にするためには、複数の目印が必要になる。
また、特許文献１に開示されている遊技機においても、特定図柄を多数設ける場合、各リール（回転リール）それぞれの各リール（回転リール）同士が隣接する側の端部に、リールテープを拡張させた部分を設ける必要がでてくる。このとき、通常のスロットマシン等においては、各リール（回転リール）同士の間の距離が狭いため、各リール（回転リール）が回転すると、各リール（回転リール）の隣接する側の端部に設けられたリールテープの拡張した部分同士が重なり合い、リールテープの拡張した部分が表示窓を通過したことを遊技者が視認しづらく、目押ししにくいといった問題があった。
【０００５】
そこで、本発明は、上記状況に鑑み以下の点を目的とする。
（請求項１）
すなわち、請求項１記載の発明は、スロットマシンにおいて、リールテープにおける図柄のうち全ての回転リールを停止させたとき所定の停止表示態様を構成する複数の図柄を特定図柄とし、リールテープの所定の特定図柄の表示位置に対応して、左右の幅方向の左端部から左方向へ向けて突出して設けられた左側突出部と、左側突出部が設けられている特定図柄以外の他の特定図柄の表示位置に対応して、左右の幅方向の右側端部から右方向へ向けて突出して設けられた右側突出部とをリールテープ備え、スロットマシンには、左側突出部及び右側突出部が通過する表示窓内の領域である突出部通過領域のうち、所定の突出部通過領域を指示するリール停止指示表示部を設けることにより、互いに隣接する側のリールテープの端部に、遊技者に目押しさせる際の目印である左側突出部及び右側突出部が設けられ、回転リールが回転する際に左側突出部と右側突出部とが互いに重なり合うような場合でも、重なり合わない方の左側突出部又は右側突出部を用いて目押しをするように、遊技者に指示することができ、遊技者が、重なり合わない方の左側突出部又は右側突出部を目押しの目印として、回転リールの回転を停止させることができるスロットマシンを提供することを目的とする。
【０００６】
（請求項２）
すなわち、請求項２記載の発明は、請求項１記載の発明に加えて、特定図柄を３種類以上有するとともに、回転リールの回転を停止させるための操作が行われてから回転リールの回転が停止するまでの間に回転リールの移動可能なコマ数の範囲内に２種類以上の特定図柄が表示されている場合に、左側突出部及び右側突出部のうち少なくとも一方を、回転リールの回転を停止させるための操作が行われてから回転リールの回転が停止するまでの間に回転リールの移動可能なコマ数の範囲内に表示されている２種類以上の特定図柄の表示位置に対応して設けることにより、特定図柄を３種類以上有する場合であっても、２種類以上の特定図柄が近接する場合には、右側突出部及び左側突出部のうち少なくとも一方を２種類以上の特定図柄に対応させることができ、３種類以上の特定図柄を有する場合にも、目押しの目印を設けることができるスロットマシンを提供することを目的とする。
【課題を解決するための手段】
【０００７】
各請求項にそれぞれ記載された発明は、前述の目的を達成するためになされたものである。なお、符号は、発明を実施するための最良の形態において用いた符号を示し、本発明の技術的範囲を限定するものではない。
（請求項１）
（特徴点）
請求項１記載の発明は、次の点を特徴とする。
すなわち、請求項1記載の発明は、複数の図柄51が表示されているリールテープ30が周囲に貼付された複数個の回転リール40と、リールテープ30の図柄51が視認可能に形成された表示領域14aを有する表示窓14とを備えたスロットマシン10であって、リールテープ30に表示された図柄51のうち、全ての回転リール40を停止させたとき、所定の停止表示態様を構成する複数の図柄51を特定図柄52とし、リールテープ30は、所定の特定図柄52の表示位置に対応して、左右の幅方向の左端部から左方向へ向けて突出して設けられた左側突出部81と、左側突出部81が設けられている所定の特定図柄52以外の他の特定図柄52の表示位置に対応して、左右の幅方向の右側端部から右方向へ向けて突出して設けられた右側突出部82とを備え、表示領域14aは、左側突出部81及び右側突出部82の通過が視認可能に形成され、スロットマシン10には、前記表示領域14a内における左側突出部81及び右側突出部82が通過する領域である突出部通過領域84のうち、所定の突出部通過領域84を指示するリール停止指示表示部70が設けられていることを特徴とする。
【０００８】
ここで、「スロットマシン10」は、複数個の回転リール40と、表示窓14とを備えている。また、「回転リール40」の周囲には、リールテープ30が貼付されている。また、「リールテープ30」には、複数の図柄51が表示されている。また、リールテープ30に表示されている図柄51を、例えば、回転方向へ向けて連続して表示することができる。また、回転リール40は、具体的には、例えば、円筒状の回転ドラムを備え、回転ドラムの周囲である外周面にリールテープ30を貼付することができる。また、回転ドラムに回転駆動のための駆動装置25（例えば、ステッピングモータ）を取り付け、この駆動装置25の駆動により回転ドラムを回転させるように形成することができる。また、回転リール40は複数個設けられている。具体的には、例えば、回転リール40を３個設置するようにしてスロットマシン10を形成することができる。
【０００９】
また、リールテープ30に表示される図柄51の数は、特に限定されるものではなく、例えば、全部で２１個の図柄51を表示させることができる。
また、「表示窓14」は、表示領域14aを有している。また、「表示領域14a」は、回転リール40の図柄51が視認可能に形成されている。具体的には、例えば、スロットマシン10の前面に表示窓14を形成するとともに、全ての回転リール40の正面側を臨むように表示窓14を形成する。そして、この表示窓14を介して、回転リール40のいくつかの図柄51を視認可能に形成する。これにより、表示窓14内に表示領域14aを形成することができる。また、これにより、回転リール40が停止すると、回転リール40のいくつかの図柄51が、表示窓14内の表示領域14aを介して、停止表示されることとなる。また、表示窓14内の表示領域14aにおける各回転リール40の図柄51の停止位置を組み合わせて、後述する有効ラインが形成される。
【００１０】
また、リールテープ30に表示された図柄51のうち、全ての回転リール40を停止させたとき、所定の停止表示態様を構成する複数の図柄51を特定図柄52としている。また、「特定図柄52」として（所定の停止表示態様を構成する複数の図柄51として）、当選役を構成する図柄51を特定図柄52とすることができる。また、特定図柄52の数は、複数（２種類以上）であれば、特に限定されない。具体的には、例えば、当選役であるＢＢ当選を構成する図柄51として、数字が赤色に着色された「７」（以下、「赤７」とする。）と、数字が青色に着色された「７」（以下、「青７」とする。）との２種類を備えている場合、この「赤７」の図柄51と「青７」の図柄51との２種類の図柄51を特定図柄52とすることができる。また、当選役であるＢＢ当選を構成する図柄51として、「赤７」と、「青７」と、数字が緑色に着色された「７」（以下、「緑７」とする。）との３種類を備えている場合、この「赤７」の図柄51と「青７」の図柄51と「緑７」の図柄51との３種類の図柄51とを特定図柄52とすることができる。また、所定の停止表示態様を構成する複数の図柄51として、他の当選役を構成する図柄51を特定図柄52としても良いし、特に当選役を構成しない図柄51を特定図柄52としても良い。また、特定図柄52として、当選役を構成する図柄51のみとしても良いし、当選役を構成しない図柄51のみとしても良いし、当選役を構成する図柄51と当選役を構成しない図柄51とを含むようにしても良い。
【００１１】
また、リールテープ30には、左側突出部81と右側突出部82とが備えられている。「左側突出部81」は、所定の特定図柄52の表示位置に対応して設けられている。また、左側突出部81は、左右の幅方向の左端部から左方向へ向けて突出して設けられている。
また、「右側突出部82」は、左側突出部81が設けられた所定の特定図柄52以外の他の特定図柄52の表示位置に対応して設けられている。また、右側突出部82は、左右の幅方向の右側端部から右方向へ向けて突出して設けられている。
また、左側突出部81及び右側突出部82は、それぞれ一つ特定図柄52に対応して設けられていても良いし、複数の特定図柄52に対応して設けられていても良い。
【００１２】
また、表示領域14aは、左側突出部81及び右側突出部82の通過が視認可能に形成されている。
また、左側突出部81及び右側突出部82は、特にその大きさ及び形状は特定されないが、回転リール40が回転したとき、表示窓14に形成された表示領域14aから通過が視認可能になるような大きさ及び形状に形成することが望ましい。
具体的には、例えば、前述のように、表示窓14を全ての回転リール40の正面側を臨むように形成した場合、この表示窓14を介して、全ての回転リール40の回転時に、全ての回転リール40に貼付されているリールテープ30に表示されている図柄51、及び全ての回転リール40に貼付されているリールテープ30に備えられている左側突出部81及び右側突出部82が視認可能な大きさに表示窓14を形成する。これにより、表示窓14に形成された表示領域14aを、左側突出部81及び右側突出部82の通過が視認可能に形成することができる。
【００１３】
また、スロットマシン10には、リール停止指示表示部70が設けられている。また、リール停止指示表示部70は、所定の突出部通過領域84を指示するものである。また、突出部通過領域84とは、表示領域14a内における左側突出部81及び右側突出部82が通過する領域である。換言すると、表示領域14a内における左側突出部81及び右側突出部82が通過する領域とは、表示窓14内に形成された表示領域14aの左側突出部81及び右側突出部82が通過する部分の領域を突出部通過領域84とすることができる。
また、例えば、リール停止指示表示部70を、所定の突出部通過領域84を指示可能なものであれば、液晶パネルを用いて形成しても良いし、ＬＥＤ等のランプを用いて形成しても良い。具体的には、液晶パネルを用いてリール停止指示表示部70を形成した場合、突出部通過領域84示す矢印の図形等を表示するようにすることにより、リール停止指示表示部 70を形成することができる。また、ＬＥＤ等のランプを用いてリール停止指示表示部70を形成した場合、ＬＥＤ等のランプを、所定の突出部通過領域84を指示できる位置に設けることにより、リール停止指示表示部70を形成することができる。
【００１４】
また、リール停止指示表示部70として液晶パネルを用いた場合、液晶パネルに表示する矢印等の図形を、突出部通過領域84自体を指示するように形成しても良いし、回転リール40自体を指示するように形成しても良い。これは、複数個存在する回転リール40の全てを回転させた場合、左端の回転リール40は、左側突出部81のみが隣り合う回転リール40の左側突出部81及び右側突出部82に重なり合わず、また、右端の回転リール40は、右側突出部82のみが隣り合う回転リール40の左側突出部81及び右側突出部82に重なり合わないことになり、左端の回転リール40を指示すれば、左端の回転リール40における左側の突出部通過領域84を示すことを意味付けすることができ、右端の回転リール40を指示すれば、右端の回転リール40における右側の突出部通過領域84を示すことを意味付けすることができる。したがって、リール停止指示表示部70である液晶パネルを、例えば、左端の回転リール40又は右端の回転リール40を指示するように形成することによっても、所定の突出部通過領域84を指示するように形成することができる。
【００１５】
また、同様に、リール停止指示表示部70としてＬＥＤ等のランプを用いた場合も、ＬＥＤ等のランプを、突出部通過領域84自体を指示するように形成しても良いし、回転リール40自体を指示するように形成しても良い。これにより、上記したリール停止指示表示部70として液晶パネルを用いた場合と同様に、リール停止指示表示部70であるＬＥＤ等のランプを、左端の回転リール40又は右端の回転リール40を指示するように形成することによっても、所定の突出部通過領域84を指示するように形成することができる。
また、スロットマシン10において、所定の突出部通過領域84を指示することが可能であれば、リール停止指示表示部70を設ける位置等は特定されない。
【００１６】
（請求項２）
（特徴点）
請求項２記載の発明は、請求項１記載の発明を限定したものであって、次の点を特徴とする。
すなわち、請求項２記載の発明におけるリールテープ30は、３種類以上の前記特定図柄52を有するとともに、２種類以上の特定図柄52であって、回転リール40の回転を停止させるための操作が行われてから回転リール40の回転が停止するまでの間に、回転リール40の移動可能なコマ数の範囲内に表示されている近接特定図柄53を有し、近接特定図柄53の表示位置に対応して左側突出部81及び右側突出部82のうち少なくとも一方が設けられていることを特徴とする。
【００１７】
ここで、リールテープ30は、３種類以上の特定図柄52を有している。また、リールテープ30は、近接特定図柄53を有している。また、近接特定図柄53は、２種類以上の特定図柄52であって、回転リール40の回転を停止させるための操作が行われてから回転リール40の回転が停止するまでの間に、回転リール40の移動可能なコマ数の範囲内に表示されているものをいう。
具体的には、例えば、前述のように、特定図柄52を、「赤７」、「青７」及び「緑７」の３種類を有するように形成することにより、リールテープ30は、３種類以上の特定図柄52を有することができる。
【００１８】
また、「２種類以上の特定図柄52であって、回転リール40の回転を停止させるための操作が行われてから回転リール40の回転が停止するまでの間に、回転リール40の移動可能なコマ数の範囲内に表示されている」とは、例えば、回転リール40の回転を停止させるための操作であるストップスイッチ50等の操作が行われてから、スロットマシン10における当選役に当選した否かの抽選を行う当選抽選手段120の抽選結果に基づいて、回転リール40の回転の停止制御をするようにスロットマシン10を形成した場合、ストップスイッチ50が操作された時点で有効ライン上に直ちに停止できる図柄51を基準として、対応する回転リール40が停止するまでの、この図柄51から回転方向に予め定められた個数（最大スベリコマ数、例えば、５コマ）、図柄51が移動するように形成されていると、ストップスイッチ50が操作された時点での有効ライン上に直ちに停止できる図柄51から、回転方向に予め定められた個数（最大スベリコマ数、例えば、５コマ）の範囲内に２種類以上の特定図柄52が表示されていることをいう。
【００１９】
つまり、この場合、具体的には、近接特定図柄53である２種類以上の特定図柄52は、上記ストップスイッチ50が操作された時点で有効ライン上に直ちに停止できる図柄51を基準として、対応する回転リール40が停止するまでの、この図柄51から回転方向に予め定められた個数（最大スベリコマ数、例えば、５コマ）移動する図柄51までの範囲に表示されている。
また、近接特定図柄53は、２種類以上あればその数は特定されない。
また、左側突出部81及び右側突出部82のうち少なくとも一方は、近接特定図柄53の表示位置に対応して設けられている。換言すると、左側突出部81及び右側突出部82のうち少なくとも一方は、近接特定図柄53である所定の関係を有する２種類以上の特定図柄52の表示位置に対応して設けられている。
【００２０】
また、近接特定図柄53の表示位置に対応して、左側突出部81及び右側突出部82のうち少なくとも一方が設けられていれば良い。したがって、近接特定図柄53の表示位置に対応して左側突出部81が設けられていても良いし、近接特定図柄53の表示位置に対応して右側突出部82が設けられていても良いし、近接特定図柄53の表示位置に対応して左側突出部81及び右側突出部82の双方が設けられていても良い。
【発明の効果】
【００２１】
（請求項１の効果）
請求項１記載の発明によれば、リールテープに表示された図柄のうち、全ての回転リールを停止させたとき所定の停止表示態様を構成する複数の図柄を特定図柄とし、リールテープには、所定の特定図柄の表示位置に対応して、左右の幅方向の左端部から左方向へ向けて突出して設けられた左側突出部と、左側突出部が設けられている所定の特定図柄以外の他の特定図柄の表示位置に対応して、左右の幅方向の右側端部から右方向へ向けて突出して設けられた右側突出部とを備え、スロットマシンには、表示窓内における左側突出部及び右側突出部が通過する領域である突出部通過領域のうち、所定の突出部通過領域を指示するためのリール停止指示表示部が設けた。
【００２２】
これにより、互いに隣接する側のリールテープの端部に、遊技者に目押しさせる際の目印である左側突出部及び右側突出部が設けられ、回転リールが回転する際に左側突出部と右側突出部とが互いに重なり合うような場合でも、重なり合わない方の左側突出部又は右側突出部を用いて目押しをするように、遊技者に指示することができ、遊技者が、重なり合わない方の左側突出部又は右側突出部を目押しの目印として、回転リールの回転を停止させることができるスロットマシンを提供することができる。
（請求項２の効果）
請求項２記載の発明によれば、上記した請求項１記載の発明に加え、次のような効果を奏する。
【００２３】
すなわち、請求項２記載の発明は、請求項１記載の発明に加えて、リールテープは、３種類以上の特定図柄を有するとともに、２種類以上の特定図柄である近接特定図柄を有し、近接特定図柄の表示位置に対応して左側突出部及び右側突出部のうち少なくとも一方を設けた。
これにより、特定図柄を３種類以上有する場合であっても、２種類以上の特定図柄が近接する場合には、右側突出部及び左側突出部のうち少なくとも一方を２種類以上の特定図柄に対応させることができ、３種類以上の特定図柄を有する場合にも、目押しの目印を設けることができるスロットマシンを提供することができる。
【発明を実施するための最良の形態】
【００２４】
（第１の実施の形態）
（図面の説明）
以下、本発明を実施するための最良の形態である第１の実施の形態について、図面を用いて説明する。
図１は、第１の実施の形態にかかる遊技機であるスロットマシン10の正面図である。図２は、第１の実施の形態にかかる遊技機であるスロットマシン10の入力、制御及び出力を示すブロック図である。図３は、第１の実施の形態にかかるリールユニット22の外観斜視図である。図４は、第１の実施の形態にかかるスロットマシン10の表示窓14付近を示す拡大正面図である。図５は、第１の実施の形態にかかる回転リール40の周囲に貼付されるリールテープ30を示す図面である。図６は、第１の実施の形態における変形例にかかるスロットマシン10の表示窓14付近を示す拡大正面図である。図７は、第１の実施の形態における変形例にかかるスロットマシン10の表示窓14付近を示す拡大正面図である。図８は、第１の実施の形態における変形例にかかるスロットマシン10の表示窓14付近を示す拡大正面図である。図９は、第１の実施の形態における変形例にかかるスロットマシン10の表示窓14付近を示す拡大正面図である。
【００２５】
本実施の形態においては、「正面」とは、スロットマシン10において遊技を行う際に遊技者が向き合う面をいう。また、「右側」とは、スロットマシン10の前面に向き合って遊技を行う遊技者から見て右側という。また、「左側」とは、スロットマシン10の前面に向き合って遊技を行う遊技者から見て左側という。
（スロットマシン10）
本実施の形態における遊技機は、スロットマシン10である。スロットマシン10は、図１に示すように、四角箱状の筐体を有し、筐体内部にリールユニット22が備えられている。また、リールユニット22には、三個の回転リール40（41、42、43）が備えられている。また、この筐体には遊技者側に向かって臨み、三個の回転リール40（41、42、43）を見ることができる表示窓14が形成されている。そして、この表示窓14の下方は、スロットマシン10を作動させるための操作部18となっている。また、操作部18の正面右側上部にはメダル投入口11が設けられており、スロットマシン10の下部には、メダルを払い出すためのメダル排出口12と、払い出されたメダルを貯留しておくためのメダル受皿13が形成されている。
【００２６】
また、回転リール40（41、42、43）は、後述するリールユニット22の枠体21に固定或いは支持された駆動装置25としてのステップモータと、駆動装置25としてのステップモータの出力軸に固定された回転ドラムと、この回転ドラムの周囲に貼付されるテープ状のリールテープ30とを備えている。そして、リールテープ30の外周面には、複数個（例えば２１個）の図柄51が表示されており、図１及び図４に示すように、３個の回転リール40（41、42、43）は並べて設けられ、各回転リール41、42、43の図柄51が３個数ずつ、表示窓14から見ることができるように配置される。
また、表示窓14は、前記３個の回転リール40の前方に設けられており、３個全ての回転リール40の回転が停止した場合に、各回転リール40の周囲に表示されている複数個の図柄51のうち３個を表示する。すなわち、表示窓14内には、リールテープ30の図柄51が視認可能に形成された表示領域14aが形成されている。また、３個全ての回転リール40が停止すると、図４に示すように、表示窓14内の表示領域14aにおける、それぞれの回転リール40に対応する位置に、それぞれ３個の図柄51が縦並びに表示される。換言すれば、表示窓14内の表示領域14aにおける上段位置、中段位置、及び下段位置にそれぞれ３個の図柄51が表示される。そして、表示窓14内の表示領域14aに、縦３列横３行に配列した合計９個の図柄51が表示されることとなる。
【００２７】
また、本実施の形態にかかるスロットマシン10では、回転リール40として、表示窓14内に形成された表示領域14aの左側に位置するように設けられた左回転リール41と、表示窓14内に形成された表示領域14aの右側に位置するように設けられた右回転リール43と、左回転リール41と右回転リール43との間の真ん中に位置するように設けられた中回転リール42とを備えている。
また、本実施の形態にかかるスロットマシン10は、図４に示すように、前記表示窓14内における表示領域14aに、停止した左回転リール41、中回転リール42、及び、右回転リール43それぞれの図柄51の表示位置を一直線に結ぶことが可能なラインである計５本の有効ラインを有している。
【００２８】
具体的には、図４に示すように、左回転リール41の中段位置と中回転リール42の中段位置と右回転リール43の中段位置とを一直線に結んだ有効ラインが中段ライン91である。また、左回転リール41の上段位置と中回転リール42の上段位置と右回転リール43の上段位置とを一直線に結んだ有効ラインが上段ライン92である。また、左回転リール41の下段位置と中回転リール42の下段位置と右回転リール43の下段位置とを一直線に結んだ有効ラインが下段ライン93である。また、左回転リール41の下段位置と中回転リール42の中段位置と右回転リール43の上段位置とを一直線に結んだ有効ラインが右上がりライン94である。また、左回転リール41の上段位置と中回転リール42の中段位置と右回転リール43の下段位置とを一直線に結んだ有効ラインが右下がりライン95である。
【００２９】
そして、後述する当選抽選手段120の抽選の結果、後述する所定の当選役に当選するとともに、いずれかの有効ライン上に、前記当選役を構成する図柄51の組み合わせが停止したとき、前記当選役の入賞となる。
また、図示はいないが、前扉の裏面における、前記メダル投入口11の下部に対応する位置には、メダル投入口11に投入されたメダルの正偽を判断するためのメダルセレクターが設けられている。
また、図１及び図４に示すように、表示窓14の上方には、リール停止指示表示部70が設けられている。リール停止指示表示部70は、表示領域14a内における後述する突出部通過領域84のうち、所定の突出部通過領域84を指示するためのものである。
【００３０】
また、リール停止指示表示部70の上方には、演出表示部60が設けられている。演出表示部60は、スピーカや表示ランプ等であって、遊技者に入賞等を報知させるためのものである。
また、操作部18には、図１に示すように、投入スイッチ15、ベットスイッチ16、精算スイッチ17、スタートスイッチ20及びストップスイッチ50が設けられている。投入スイッチ15は、メダル投入口11の下方に内蔵されたスイッチであって、投入されたメダルを検知するためのものである。
ベットスイッチ16は、回転リール40の下方に位置するスイッチであって、貯留メダル数を減じてメダル投入に代えるためのものである。精算スイッチ17は、回転リール40の斜め下方に位置するスイッチであって、貯留した投入メダルを払い出すためのものである。スタートスイッチ20は、回転リール40の斜め下方に位置するレバーであって、メダルの投入若しくはベットスイッチ16の操作を条件に、回転リール40（41、42、43）の回転を開始させるためのものである。
【００３１】
ストップスイッチ50は、回転リール40（41、42、43）の回転を停止させるためのものである。具体的には、ストップスイッチ50は、図１に示すように、各回転リール41、42、43に対応した三個のストップスイッチ50から構成され、各回転リール41、42、43の下方に１個ずつ配置されている。そして、各回転リール40に対応したストップスイッチ50の操作により、当該対応した回転リール40の駆動装置25が停止するように設定されているものである。
スロットマシン10の内部には、特に図示していないが、スロットマシン10の全体の動作を制御するための制御装置100（図２参照）が内蔵されている。また、スロットマシン10の内部には、ホッパー24が内蔵されている。ホッパー24は、遊技の結果に基づいて、遊技者にメダルを払い出すためのものである。
【００３２】
（リールユニット22）
次に、リールユニット22について説明する。
リールユニット22は、図３に示すように、枠体21と、枠体21に固定される３個の駆動装置25としてのステッピングモータと、駆動装置25としてのステッピングモータに軸着される３個の回転リール40（41、42、43）とを有している。また、リールユニット22には、回転リール40（41、42、43）及び枠体21に回転検知装置（図示せず）が設けられている。そして、リールユニット22は、図示はしないが、スロットマシン10の筐体に設けられている中板の上に乗せ、収納固定されるものである。
【００３３】
（回転リール40）
回転リール40は、円筒形のリールドラムに、帯状のリールテープ30を貼付して形成したものである。リールドラムは、駆動装置25であるステッピングモータの駆動軸に固定され、駆動装置25であるステップモータの駆動軸の回転により円周方向に回転可能に形成されている。
（リールテープ30）
リールテープ30は、プラスチックフィルムなどに印刷等により複数の図柄51を表示した帯状のテープであり、リールドラムの筒外周よりも若干長く形成されている。すなわち、リールテープ30は、リールドラムに貼付する場合、端部を重ね合わせて貼り付けるようになっているものである。
【００３４】
また、リールテープ30は、各回転リール40それぞれに貼付されている。また、左回転リール41には、リールテープ30としての左リールテープ31が貼付され、中回転リール42には、リールテープ30としての中リールテープ32が貼付され、右回転リール43には、リールテープ30としての右リールテープ33が貼付されている。
また、各リールテープ30は、それぞれ回転方向へ向けて連続して図柄51を表示している。また、各リールテープ30は、それぞれ所定の幅を有している。
また、特に図示していないが、各回転リール40に貼付されているリールテープ30のベース色は、それぞれ白色となっている。そして、各回転リール40の外周面であるリールテープ30の表面には、それぞれ図５に示すように、回転方向へ向けてほぼ等間隔に、「７」「ＢＡＲ」「ベル」「スイカ」「スター」「ＲＥＰＬＡＹ」等の複数種類の図柄51が所定の配列で計２１個表示されている。
【００３５】
そして、各リールテープ30に表示された図柄51のうち、所定の図柄51を特定図柄52としている。特定図柄52とは、全ての回転リール40を停止させたとき、所定の停止表示態様を構成する図柄51である。
また、本実施の形態においては、全ての回転リール40を停止させたとき、所定の当選役を構成する当選図柄を特定図柄52としている。具体的には、図５に示すように、後述する「ＢＢ遊技」の当選図柄である、「赤７」（図５中、細かい斜線で表示されている「７」）、及び「青７」（図５中、粗い斜線で表示されている「７」）を、それぞれ特定図柄52としている。また、「赤７」を第１特定図柄52aとし、「青７」を第２特定図柄52bとしている。
【００３６】
また、各リールテープ30の左右の幅方向の両端部には、突出部80が設けられている。詳述すると、各リールテープ30の左右の幅方向の左端部には、それぞれ左方向へ向けて突出した、突出部80としての左側突出部81が設けられている。また、各リールテープ30の左右の幅方向の右側端部には、それぞれ右方向へ向けて突出した、突出部80としての右側突出部82が設けられている。
また、突出部80は、特定図柄52の表示位置に対応して設けられている。また、左側突出部81は所定の特定図柄52の表示位置に対応して設けられている。また、右側突出部82は、左側突出部81が設けられている所定の特定図柄52以外の他の特定図柄52の表示位置に対応して設けられている。具体的には、本実施の形態では、図５に示すように、左側突出部81は、所定の特定図柄52である「赤７」（第１特定図柄52a）の表示位置に対応して設けられている。また、本実施の形態では、右側突出部82は、「赤７」以外の他の特定図柄52である「青７」（第２特定図柄52b）の表示位置に対応して設けられている。
【００３７】
また、各突出部80は、回転リール40が回転すると、表示窓14内に形成された表示領域14aから視認可能に形成されている。
（リール停止指示表示部70）
また、リール停止指示表示部70は、表示窓14の上方に設けられている。リール停止指示表示部70は、表示領域14a内における後述する突出部通過領域84のうち、所定の突出部通過領域84を指示するためのものである。
また、リール停止指示表示部70は、液晶パネルにより形成されている。また、リール停止指示表示部70である液晶パネルは、下方向を指し示す矢印が表示されるように形成されている。また、図１及び図４に示すように、リール停止指示表示部70である液晶パネルは、下方向を指し示す矢印が６個表示可能に形成されている。
【００３８】
また、リール停止指示表示部70である液晶パネルに表示される矢印のうち、左端に表示される矢印は、表示領域14a内における左回転リール41の左側突出部81が通過する領域である突出部通過領域84の上方に位置し、表示領域14a内における左回転リール41の左側突出部81が通過する領域である突出部通過領域84を指示するように形成されている。
また、リール停止指示表示部70である液晶パネルに表示される矢印のうち、左端から２番目に表示される矢印は、表示領域14a内における左回転リール41の右側突出部82が通過する領域である突出部通過領域84の上方に位置し、表示領域14a内における左回転リール41の右側突出部82が通過する領域である突出部通過領域84を指示するように形成されている。
【００３９】
また、リール停止指示表示部70である液晶パネルに表示される矢印のうち、左端から３番目に表示される矢印は、表示領域14a内における中回転リール42の左側突出部81が通過する領域である突出部通過領域84の上方に位置し、表示領域14a内における中回転リール42の左側突出部81が通過する領域である突出部通過領域84を指示するように形成されている。
また、リール停止指示表示部70である液晶パネルに表示される矢印のうち、左端から４番目に表示される矢印は、表示領域14a内における中回転リール42の右側突出部82が通過する領域である突出部通過領域84の上方に位置し、表示領域14a内における中回転リール42の右側突出部82が通過する領域である突出部通過領域84を指示するように形成されている。
【００４０】
また、リール停止指示表示部70である液晶パネルに表示される矢印のうち、左端から５番目に表示される矢印は、表示領域14a内における右回転リール43の左側突出部81が通過する領域である突出部通過領域84の上方に位置し、表示領域14a内における右回転リール43の左側突出部81が通過する領域である突出部通過領域84を指示するように形成されている。
また、リール停止指示表示部70である液晶パネルに表示される矢印のうち、左端から６番目に表示される矢印は、表示領域14a内における右回転リール43の右側突出部82が通過する領域である突出部通過領域84の上方に位置し、表示領域14a内における右回転リール43の右側突出部82が通過する領域である突出部通過領域84を指示するように形成されている。
【００４１】
また、リール停止指示表示部70は、後述するリール停止指示表示部制御手段200により、その動作が制御されている。具体的には、リール停止指示表示部70は、リール停止指示表示部制御手段200により、所定の矢印が表示されるように形成されている。
次に、制御装置100について詳述する。
（制御装置100）
制御装置100は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、スロットマシン10の作動を制御する。
【００４２】
具体的には、制御装置100は、図２に示すように、遊技制御手段110、当選抽選手段120、停止制御手段130、入賞判定手段140、演出制御手段150及びリール停止指示表示部制御手段200として機能するものである。以下、これらについて詳述する。なお、制御装置100としては、上記以外の手段を有していても良い。
また、制御装置100には、図２に示すように、入力手段として、投入スイッチ15、ベットスイッチ16、精算スイッチ17、スタートスイッチ20及びストップスイッチ等のパーツが接続されている。また、制御装置100には、リールユニット22、ホッパー24、演出表示部60及びリール停止指示表示部70等のパーツが接続されている。なお、入力手段及び出力手段として、上記のパーツに限定されるものではない。
【００４３】
（遊技制御手段110）
遊技制御手段110は、スロットマシン10の遊技を制御するためのものである。そして、遊技としては、通常遊技と、通常遊技よりも多くの利益を遊技者に付与する特別遊技とが設けられている。
ここで、通常遊技の概要は、以下の通りである。
具体的には、メダルの投入又はベットスイッチ16が操作されたことを条件に、スタートスイッチ20を操作すると、予め定められた当選役のいずれかに当選したか又はハズレかの抽選が行われる。そして、これに伴って、３個全ての回転リール40が回転を開始する。その後、所定のストップスイッチ50を１つ操作すると、このストップスイッチ50に対応した回転リール40の回転が停止する。そして、ストップスイッチ50を３個全て操作し終わると、３個の回転リール40の回転が全て停止する。このとき、表示窓14内に形成されるいずれかの有効ライン上に、当選役を構成する図柄51の組み合わせが停止されると、当該当選役の入賞となり、当選役に応じた枚数のメダルがメダル排出口12から払い出される。なお、メダルを払い出す代わりに、メダルを貯留しても良い。また、当選役の対応に応じて、遊技者に対して所定の利益を付与することもできる。
【００４４】
本実施の形態にかかる遊技機であるスロットマシン10では、前記当選役として、入賞により所定枚数のメダルが払い出される小役当選（ベル当選、スイカ当選及びスター当選等）と、メダルの払い出しは無いがメダルを新たに投入することなく再度の遊技を行えるリプレイ当選と、小役当選及び再遊技当選よりもさらに大きな利益を遊技者に付与する特別遊技に係る特別当選（ＢＢ当選、及びＲＢ当選など）とを備えている。
また、小役当選のうち、たとえば、スイカ当選は、「スイカ」の図柄51の組み合わせ（「スイカ」「スイカ」「スイカ」）により構成される。そして、いずれかの有効ライン上に「スイカ」「スイカ」「スイカ」の図柄配列が停止すると、スイカ当選の入賞となり、所定枚数（たとえば１５枚）のメダルが払い出される。また、小役当選のうち、スター当選は、「スター」の図柄51と他の図柄51との組み合わせ（「スター」「ＡＮＹ」「ＡＮＹ」（ＡＮＹはいずれの図柄51でも構わないという意味））により構成される。そして、いずれかの有効ライン上に「スター」「ＡＮＹ」「ＡＮＹ」の図柄配列が停止すると、スター当選の入賞となり、所定枚数（たとえば２枚）のメダルが払い出される。また、リプレイ当選は、「ＲＥＰＬＡＹ」の図柄51の組み合わせ（「ＲＥＰＬＡＹ」「ＲＥＰＬＡＹ」「ＲＥＰＬＡＹ」）により構成される。そして、いずれかの有効ライン上に「ＲＥＰＬＡＹ」「ＲＥＰＬＡＹ」「ＲＥＰＬＡＹ」の図柄配列が停止すると、ＲＥＰＬＡＹ当選の入賞となり、新たにメダルを投入することなく、前回の遊技と同じ条件で再度遊技を行うことができる。
【００４５】
また、ＢＢ当選には、「赤７」の図柄51の組み合わせ（「赤７」「赤７」「赤７」）の構成からなる「赤７ＢＢ当選」、及び「青７」の図柄51の組み合わせ（「青７」「青７」「青７」）の構成からなる「青７ＢＢ当選」が備えられている。そして、いずれかの有効ライン上に「赤７」「赤７」「赤７」又は「青７」「青７」「青７」の図柄配列が停止すると、ＢＢ当選の入賞となり、所定枚数（たとえば１５枚）のメダルが払い出された後、ＢＢゲームに移行する。
また、ＲＢ当選は、「ＢＡＲ」の図柄51の組み合わせ（「ＢＡＲ」「ＢＡＲ」「ＢＡＲ」）により構成される。そして、いずれかの有効ライン上に「ＢＡＲ」「ＢＡＲ」「ＢＡＲ」の図柄配列が停止すると、ＲＢ当選の入賞となり、所定枚数（たとえば１５枚）のメダルが払い出された後、ＲＢゲームに移行する。
【００４６】
また、特別遊技の概要は、以下の通りである。
特別遊技は、通常遊技よりも遊技者に大きな利益を付与する遊技（ＢＢゲーム、ＲＢゲーム等）である。
具体的には、特別遊技であるＢＢゲームに移行すると、通常遊技と同様に所定枚数のメダルの投入によって遊技が開始される。そして、３つの回転リール40の回転を全て停止させた場合に、有効ライン上に所定の図柄51が揃っているか否かによって、メダルの払い出しが行われる。すなわち、ＢＢゲーム中は、通常遊技と同様に小役を含めた抽選が毎回行われる。但し、このＢＢゲーム中にＲＢゲームに移行するための特定の図柄51が有効ライン上に揃った場合には、その後ＲＢゲームに移行する。そして、ＲＢゲームが終了した後は、また通常遊技と同様の抽選及び制御が行われる。そして、ＢＢゲーム中において払い出されたメダルが所定の枚数（たとえば４６５枚）に達することにより、終了する。なお、ＢＢゲームの終了条件としては、上述のようなメダルの払い出し枚数の累計ではなく、他の条件を設定することもできる。
【００４７】
また、特別遊技であるＲＢゲームに移行すると、所定の図柄51が所定の有効ライン上に揃った場合に入賞となる遊技が行われる。そして、ＲＢゲームでは、前記遊技が最大１２回行えるものとなっており、そのうち最大８回の入賞が可能となっている。すなわち、最大８回の入賞、又は、最大１２回の前記遊技により、ＲＢゲームは終了する。なお、ＲＢゲームは、ＢＢゲーム中に入賞して行われる場合と、通常遊技中に入賞して行われる場合とがある。
（当選抽選手段120）
当選抽選手段120は、予め定めた抽選確率に基づいて当選役に係わる抽選を行うものである。そして、当選抽選手段120による抽選の結果、所定の当選役に当選である場合に当選フラグが成立し、この当選フラグ成立中に、回転リール40（41、42、43）の停止図柄の組み合わせが予め定められた当選図柄と一致したことを条件に入賞し、遊技者にメダルの払い出しや、特別遊技等の利益が付与されるように設定されている。
【００４８】
ここで、「当選フラグ」とは、抽選結果の「当たり」を記憶しておくためのメモリ部分のことである。当選抽選手段120は、図２に示すように、乱数発生手段122、乱数抽出手段124、当選判定手段128、及び当選判定テーブル126を有している。前記乱数発生手段122は、当選抽選用の所定の領域内で乱数を発生させるものである。
前記乱数抽出手段124は、乱数発生手段122が発生する乱数を、所定の条件（例えば、スタートスイッチ20の操作）で抽出するものである。なお、この抽出した乱数を判定乱数という。ところで、乱数発生手段122としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。このようにすると、「乱数発生手段122」では乱数を発生しているわけではないものの、「乱数抽出手段124」によって抽出される数字は、あたかも乱数のような分布となる。このように、結果として乱数のような分布を示す数字が得られる手段を、ここでは「乱数発生手段122」あるいは「乱数抽出手段124」に含めて考えるものとする。
【００４９】
当選判定手段128は、前記乱数抽出手段124が抽出した判定乱数を、当選判定テーブル126と比較して、判定乱数に対応する当選を決定するものである。当選判定テーブル126は、乱数発生手段122がとる乱数の全領域を、当選役及びハズレの領域に分けて規定したものである。なお、それぞれ構成の異なる複数の当選判定テーブル126を設けることもできる。そして、当選判定手段128により、前記乱数が所定の当選領域に属すると判定された場合、当該当選領域に対応する当選役の当たりとなる。一方、前記乱数がいずれの当選領域にも属さないと判定された場合、ハズレとなる。
なお、当選抽選手段120による抽選の結果、いずれかの当選役に当たった場合、当該当選役に対応した当選フラグが成立する。この当選フラグには、前記抽選結果が小役当選である場合に成立する小役当選フラグや、前記抽選結果が特別当選である場合に成立する特別当選フラグ等がある。
【００５０】
また、前記小役当選フラグは、当選フラグが成立した遊技においてのみ有効となるものである。すなわち、小役当選フラグが成立した遊技において、この当選フラグに対応する小役の当選役が入賞した場合、前記当選フラグは消滅するものとなっている。また、当該遊技において、この当選フラグに対応する小役の入賞とならなかった場合にも、すなわち、前記小役を構成する図柄51の組み合わせをいずれかの有効ライン上に停止させることができなかった場合にも、前記当選フラグは消滅するものとなっている。
これに対して、前記特別当選フラグは、次の遊技へ持ち越すことができるものとなっている。すなわち、特別当選フラグが成立した遊技において、この特別当選フラグに対応する特別当選の入賞とならなかった場合には、次遊技においても、特別当選フラグが成立したままとなるように設定されている。そして、この特別当選の入賞となるまで、特別当選フラグは成立したままとなっており、特別当選の入賞となると、特別当選フラグは消滅するものとなっている。
【００５１】
（停止制御手段130）
停止制御手段130は、ストップスイッチ50の操作が行われた場合に、前記当選抽選手段120の抽選結果に基づいて、回転リール40の回転の停止を制御するためのものである。
本実施の形態では、停止制御手段130は、ストップスイッチ50が操作された時点で、有効ライン上に直ちに停止できる図柄51を基準として、この図柄51から回転方向に予め定められた個数（最大スベリコマ数、たとえば、５コマ）移動したときの図柄51までの範囲で、対応する回転リール40を停止させるように形成されている。
すなわち、停止制御手段130は、ストップスイッチ50が操作された時点から対応する回転リール40が停止するまでに、この回転リール40が回転する回転量が予め定められたコマ数（５コマ）の範囲内となるように制御する。
【００５２】
そして、停止制御手段130は、前記当選抽選手段120の抽選結果に基づいて、対応する回転リール40を、予め定められたコマ数（５コマ）の範囲内におけるいずれの位置で停止させるかを決定するものとなっている。
具体的には、停止制御手段130は、所定の当選役に係る当選フラグが成立しているときには、当該当選役を構成する図柄51の組み合わせが、有効ライン上に停止するように、かつ、前記当選役を構成する図柄51以外の図柄51は、有効ライン上に停止しないように、対応する回転リール40の停止位置を上述の予め定められたコマ数（５コマ）の範囲内で決定する。
【００５３】
すなわち、停止制御手段130は、所定の当選役に当選している場合であって、ストップスイッチ50が操作された場合、有効ライン上から、回転リール40の反回転方向側の予め定められた個数（５個）の範囲内に、前記当選役を構成する図柄51が位置しているときは、前記図柄51が有効ライン上に停止するように、対応する回転リール40を停止させる。
なお、停止制御手段130は、当選フラグが成立していない場合、すなわち、ハズレの場合には、いずれの当選役を構成する図柄51の組み合わせも有効ライン上に停止しないように、回転リール40を停止させる。
（入賞判定手段140）
入賞判定手段140は、前記当選抽選手段120の抽選結果が当選の場合に、有効ライン上に当選図柄が揃ったときに入賞として扱い、メダルの払い出しあるいは特別遊技の開始を行わせるためのものである。
【００５４】
具体的には、特に図示しないが、各回転リール41、42、43のそれぞれの図柄51の現在位置を認識することができる図柄位置判定手段から、各回転リール41、42、43が全て停止したときの停止図柄を特定し、当該停止図柄と当選に係る入賞の図柄51の並びとが一致していることを条件に、ホッパー24に所定枚数のメダルの払い出し要請信号を送出し、あるいは遊技制御手段110に特別遊技開始の要請信号を送出するものである。
（演出制御手段150）
演出制御手段150は、遊技の進行に伴うランプの点滅、画像等の表示、音声の発生などの演出、あるいは遊技とは直接関係ないＢＧＭ等の演出を行わせるためのものである。
【００５５】
具体的には、前記遊技制御手段110からの演出要請信号、例えば当選や入賞の信号を受信して、あるいは演出制御手段150単独で演出実行を決定し、ＲＯＭに記憶された演出データを、ランプやスピーカ、液晶画面等の演出表示部60に出力することにより、所定の演出を行わせるものである。
（リール停止指示表示部制御手段200）
リール停止指示表示部制御手段200は、リール停止指示表示部70の動作を制御するためのものである。例えば、当選抽選手段120の抽選結果により、赤７ＢＢ当選に当選した場合には、赤７ＢＢ当選に対応した当選フラグが成立し、リール停止指示表示部制御手段200は、「赤７」（第１特定図柄52a）の表示位置に対応して設けられている左側突出部81が表示領域14a内を通過する領域である突出部通過領域84を指示するように、リール停止指示表示部70の動作を制御する。
【００５６】
また、例えば、当選抽選手段120の抽選結果により、青７ＢＢ当選に当選した場合には、青７ＢＢ当選に対応した当選フラグが成立し、リール停止指示表示部制御手段200は、「青７」（第２特定図柄52b）の表示位置に対応して設けられている右側突出部82が表示領域14a内を通過する領域である、突出部通過領域84を指示するように、リール停止指示表示部70の動作を制御する。
具体的には、図４に示すように、リール停止指示表示部制御手段200は、リール停止指示表示部70である液晶パネルに、所定の突出部通過領域84を示す矢印を表示するように、リール停止指示表示部70の動作を制御する。詳述すると、左回転リール41の左側突出部81が通過する領域である突出部通過領域84を指示する場合には、リール停止指示表示部70である液晶パネルにおける当該左側突出部81が通過する領域である突出部通過領域84の上方に矢印（図４中における左端の矢印）が表示されるように、リール停止指示表示部制御手段200は、リール停止指示表示部70の動作を制御する。
【００５７】
また、同様に、左回転リール41の右側突出部82が通過する領域である突出部通過領域84を指示する場合には、リール停止指示表示部70である液晶パネルにおける当該右側突出部82が通過する領域である突出部通過領域84の上方に矢印（図４中における左端から２番目の矢印）が表示されるように、リール停止指示表示部制御手段200は、リール停止指示表示部70の動作を制御する。
また、同様に、中回転リール42の左側突出部81が通過する領域である突出部通過領域84を指示する場合には、リール停止指示表示部70である液晶パネルにおける当該左側突出部81が通過する領域である突出部通過領域84の上方に矢印（図４中における左端から３番目の矢印）が表示されるように、リール停止指示表示部制御手段200は、リール停止指示表示部70の動作を制御する。
【００５８】
また、同様に、中回転リール42の右側突出部82が通過する領域である突出部通過領域84を指示する場合には、リール停止指示表示部70である液晶パネルにおける当該右側突出部82が通過する領域である突出部通過領域84の上方に矢印（図４中における左端から４番目の矢印）が表示されるように、リール停止指示表示部制御手段200は、リール停止指示表示部70の動作を制御する。
また、同様に、右回転リール43の左側突出部81が通過する領域である突出部通過領域84を指示する場合には、リール停止指示表示部70である液晶パネルにおける当該左側突出部81が通過する領域である突出部通過領域84の上方に矢印（図４中における左端から５番目の矢印）が表示されるように、リール停止指示表示部制御手段200は、リール停止指示表示部70の動作を制御する。
【００５９】
また、同様に、右回転リール43の右側突出部82が通過する領域である突出部通過領域84を指示する場合には、リール停止指示表示部70である液晶パネルにおける当該右側突出部82が通過する領域である突出部通過領域84の上方に矢印（図４中における左端から６番目の矢印）が表示されるように、リール停止指示表示部制御手段200は、リール停止指示表示部70の動作を制御する。
（リール停止指示表示部70の動作）
また、リール停止指示表示部制御手段200は、当選抽選手段120による抽選の結果、成立した当選役に対応した当選フラグにより、リール停止指示表示部70が指示する突出部通過領域84、及びその指示する順番を定めている。
【００６０】
具体的には、例えば、例えば、当選抽選手段120の抽選結果により、赤７ＢＢ当選に当選した場合には、赤７ＢＢ当選に対応した当選フラグが成立し、リール停止指示表示部70が、まず、左回転リール41の左側突出部81が通過する領域である突出部通過領域84を指示する。具体的には、リール停止指示表示部制御手段200は、図４中のリール停止指示表示部70における、左端にある矢印が点灯するようにリール停止指示表示部70の動作を制御する。そして、遊技者は、リール停止指示表示部70が指示する突出部通過領域84における左側突出部81を目印にして、左回転リール41を停止させる。
遊技者が、左回転リール41の回転を停止させると、リール停止指示表示部70は、中回転リール42の左側突出部81が通過する領域である突出部通過領域84を指示する。具体的には、リール停止指示表示部制御手段200は、図４中のリール停止指示表示部70における、左端から３番目にある矢印が点灯するようにリール停止指示表示部70の動作を制御する。そして、遊技者は、リール停止指示表示部70が指示する突出部通過領域84における左側突出部81を目印にして、中回転リール42を停止させる。
【００６１】
遊技者が、中回転リール42の回転を停止させると、リール停止指示表示部70は、右回転リール43の左側突出部81が通過する領域である突出部通過領域84を指示する。具体的には、リール停止指示表示部制御手段200は、図４中のリール停止指示表示部70における、左端から５番目にある矢印が点灯するようにリール停止指示表示部70の動作を制御する。そして、遊技者は、リール停止指示表示部70が指示する突出部通過領域84における左側突出部81を目印にして、右回転リール43を停止させる。
すなわち、上述の場合（赤７ＢＢ当選に当選し、赤７ＢＢ当選フラグが成立している場合）には、リール停止指示表示部制御手段200は、リール停止指示表示部70における左端にある矢印→左端から３番目にある矢印→左端から５番目にある矢印の順に点灯するようにリール停止指示表示部70の動作を制御する。
【００６２】
また、例えば、当選抽選手段120の抽選結果により、青７ＢＢ当選に当選した場合には青７ＢＢ当選に対応した当選フラグが成立し、リール停止指示表示部70は、右回転リール43の右側突出部82が通過する領域である突出部通過領域84を指示する。具体的には、リール停止指示表示部制御手段200は図４中のリール停止指示表示部70における、左端から６番目にある矢印が点灯するようにリール停止指示表示部70の動作を制御する。そして、遊技者は、リール停止指示表示部70が指示する突出部通過領域84における右側突出部82を目印にして、右回転リール43を停止させる。
遊技者が、右回転リール43の回転を停止させると、リール停止指示表示部70は、中回転リール42の右側突出部82が通過する領域である突出部通過領域84を指示する。具体的には、リール停止指示表示部制御手段200は、図４中のリール停止指示表示部70における、左端から４番目にある矢印が点灯するようにリール停止指示表示部70の動作を制御する。そして、遊技者は、リール停止指示表示部70が指示する突出部通過領域84における右側突出部82を目印にして、中回転リール42を停止させる。
【００６３】
遊技者が、中回転リール42の回転を停止させると、リール停止指示表示部70は、左回転リール41の右側突出部82が通過する領域である突出部通過領域84を指示する。具体的には、リール停止指示表示部制御手段200は、図４中のリール停止指示表示部70における、左端から２番目にある矢印が点灯するようにリール停止指示表示部70の動作を制御する。そして、遊技者は、リール停止指示表示部70が指示する突出部通過領域84における右側突出部82を目印にして、左回転リール41を停止させる。
すなわち、上述の場合（青７ＢＢ当選に当選し、青７ＢＢ当選フラグが成立している場合）には、リール停止指示表示部制御手段200は、リール停止指示表示部70における左端から６番目にある矢印→左端から４番目にある矢印→左端から２番目にある矢印の順に点灯するようにリール停止指示表示部70の動作を制御する。
【００６４】
また、リール停止指示表示部制御手段200は、リール停止指示表示部70が指示する突出部通過領域84に対応した回転リール40とは、異なる回転リール40の停止操作がされた場合にも、その停止操作に対応して、指示する突出部通過領域84、及びその指示する順番を定めることもできる。
例えば、リール停止指示表示部70が指示した突出部通過領域84に対応する回転リール40とは異なる回転リール40の停止操作が行われた場合であっても、当選図柄を構成する図柄が有効ライン上に停止したときのように、まだ入賞の可能性があるときには、入賞の可能性がある当選図柄を構成する図柄を停止させるように、リール停止指示表示部制御装置200は、リール停止指示表示部70の動作を制御するように形成することができる。
【００６５】
すなわち、リール停止指示表示部70が指示した突出部通過領域84に対応する回転リール40とは異なる回転リール40の停止操作が行われた場合であっても、所定の場合には、他の回転リール40（回転中の回転リール40）の当選図柄を構成する図柄に対応した突出部通過領域84を指示するように、リール停止指示表示部制御装置200は、リール停止指示表示部70の動作を制御するように形成することができる。
通常、上述のように、当選抽選手段120の抽選結果により、赤７ＢＢ当選に当選した場合には、赤７ＢＢ当選に対応した当選フラグが成立し、まず、左回転リール41の左側突出部81が通過する領域である突出部通過領域84を指示して、遊技者に、リール停止指示表示部70が指示する突出部通過領域84における左側突出部81を目印にして左回転リール41を停止させるようにし、次に、中回転リール42の左側突出部81が通過する領域である突出部通過領域84を指示して、遊技者に、リール停止指示表示部70が指示する突出部通過領域84における左側突出部81を目印にして中回転リール42を停止させるようにし、最後に、右回転リール43の左側突出部81が通過する領域である突出部通過領域84を指示して、遊技者に、リール停止指示表示部70が指示する突出部通過領域84における左側突出部81を目印にして右回転リール43を停止させるようにリール停止指示表示部制御手段200を形成している。
【００６６】
しかし、前述のように、遊技者が、指示する回転リール40とは異なる回転リール40を停止させた場合であっても、入賞の可能性がある場合には、リール停止指示表示部制御手段200は、入賞する停止態様に回転リール40を停止させるように、リール停止指示表示部70の動作を制御することができる。
具体的には、上述のように赤７ＢＢ当選に当選し、赤７ＢＢ当選フラグが成立した場合であって、遊技者が、最初に中回転リール42を停止させたときであっても、中回転リール42の特定図柄で51aである「赤７」が有効ライン上に停止すれば、入賞の可能性がある。
また、中回転リール42が停止している場合には、左回転リール41の左側突出部81及び右回転リール43の左側突出部81の双方ともに、他の回転リール40の突出部80と重なり合わない。
【００６７】
したがって、赤７ＢＢ当選に当選し、赤７ＢＢ当選フラグが成立している場合であって、遊技者が、最初に中回転リール42の特定図柄51aである「赤７」を有効ライン上に停止させたときには、リール停止指示表示部制御手段200は、「赤７」が有効ライン上に停止したことを図柄位置判定手段により認識し、リール停止指示表示部70が、左回転リール41の左側突出部81が通過する領域である突出部通過領域84を指示（左端にある矢印を点灯）するように、リール停止指示表示部制御手段200を形成することも可能であり、リール停止指示表示部70が、右回転リール43の左側突出部81が通過する領域である突出部通過領域84を指示（左端から４番目にある矢印を点灯）するように、リール停止指示表示部制御手段200を形成することも可能であり、また、リール停止指示表示部70が、左回転リール41の左側突出部81が通過する領域である突出部通過領域84及び右回転リール43の左側突出部81が通過する領域である突出部通過領域84の双方を指示（左端にある矢印、及び左端から４番目にある矢印の双方を点灯）するように、リール停止表示部70及びリール停止指示表示部制御手段200を形成することも可能である。
【００６８】
このとき、リール停止指示表示部70が、左回転リール41の左側突出部81が通過する領域である突出部通過領域84を指示している場合には、遊技者に、リール停止指示表示部70が指示する突出部通過領域84における左側突出部81を目印にして左回転リール41を停止させるようすることができ、リール停止指示表示部70が、右回転リール43の左側突出部81が通過する領域である突出部通過領域84を指示している場合には、遊技者に、リール停止指示表示部70が指示する突出部通過領域84における左側突出部81を目印にして右回転リール43を停止させるようすることができ、リール停止指示表示部70が、左回転リール41の左側突出部81が通過する領域である突出部通過領域84及び右回転リール43の左側突出部81が通過する領域である突出部通過領域84の双方を指示している場合には、遊技者に、リール停止指示表示部70が指示する突出部通過領域84における左側突出部81を目印にして左回転リール41を停止させても良いし、リール停止指示表示部70が指示する突出部通過領域84における左側突出部81を目印にして右回転リール43を停止させても良いようにすることができる。
【００６９】
すなわち、赤７ＢＢ当選に当選し、赤７ＢＢ当選フラグが成立している場合であって、リール停止指示表示部70が指示した突出部通過領域84に対応する回転リール40とは異なる回転リール40の停止操作が行われたときでも、その回転リール40が当選図柄を構成する図柄である「赤７」で有効ライン上で停止した場合には、停止した回転リール40以外の回転リール40、（上述のように、最初に中回転リール42を停止させた場合には、左回転リール41及び右回転リール43）において、当選図柄である「赤７」に対応した左側突出部81を目印にして、回転リール40を停止させるようにすることができる。
また、例えば、青７ＢＢ当選に当選し、青７ＢＢ当選フラグが成立している場合であって、最初に中回転リール42を停止させたときも、赤７ＢＢ当選に当選した場合と同様に、リール停止指示表示部70及びリール停止指示表示部制御手段200を形成することができる。
【００７０】
（作用・効果）
本実施の形態によれば、各リールテープ30には、それぞれ所定の特定図柄52である「赤７」（第１特定図柄52a）の表示位置に対応して、左側突出部81が備えられ、左側突出部81が設けられている所定の特定図柄52以外の他の特定図柄52である「青７」（第２特定図柄52b）の表示位置に対応して、右側突出部82が備えられている。
また、当選抽選手段120の抽選結果により、「赤７」「赤７」「赤７」の停止表示態様が有効ライン上に揃った場合に入賞となる当選役（赤７ＢＢ当選）に当選した場合には、所定の突出部通過領域84を指示するためのリール停止指示表示部70は、所定の特定図柄52である「赤７」（第１特定図柄52a）の表示位置に対応して設けられている左側突出部81が、所定の表示領域14a内を通過する領域である突出部通過領域84を指示するように形成されている。具体的には、図４に示すように、リール停止指示表示部70である液晶パネルに、左側突出部81が表示領域14a内を通過する領域である突出部通過領域84を示す矢印が表示されるように形成されている。
【００７１】
また、当選抽選手段120の抽選結果により、「青７」「青７」「青７」の停止表示態様が有効ライン上に揃った場合に入賞となる当選役（青７ＢＢ当選）に当選した場合には、所定の突出部通過領域84を指示するためのリール停止指示表示部70は、所定の特定図柄52である「青７」（第２特定図柄52b）の表示位置に対応して設けられている右側突出部82が、表示領域14a内を通過する領域である突出部通過領域84を指示するように形成されている。具体的には、図４に示すように、リール停止指示表示部70である液晶パネルに、所定の右側突出部82が表示領域14a内を通過する領域である突出部通過領域84を示す矢印が表示されるように形成されている。
【００７２】
これにより、例えば、リール停止指示表示部70は、赤７ＢＢ当選に当選した場合には、「赤７」の表示位置に対応して設けられた左側突出部81が表示領域14a内を通過する領域である突出部通過領域84を指示し、また、青７ＢＢ当選に当選した場合には、「青７」の表示位置に対応して設けられた右側突出部82が表示領域14a内を通過する領域である突出部通過領域84を指示するので、回転リール40が回転する際に左側突出部81と右側突出部82とが互いに重なり合うような場合でも、重なり合わない方の左側突出部81又は右側突出部82を用いて目押しをするように、遊技者に指示することができる。
例えば、リール停止指示表示部70は、赤７当選の場合には、最初に左回転リール41の左側突出部81が表示領域14a内を通過する領域である突出部通過領域84の指示（矢印の表示）をするように形成され、次に、左回転リール41の回転が停止すると、他の回転リール40の突出部80と重なり合わない中回転リール42の左側突出部81が表示領域14a内を通過する領域である突出部通過領域84の指示（矢印の表示）をするように形成され、最後に、中回転リール42の回転が停止すると、他の回転リール40の突出部80と重なり合わない右回転リール43の左側突出部81が表示領域14a内を通過する領域である突出部通過領域84の指示（矢印の表示）をするように形成されているので、当選役に応じて、重なり合わない方の左側突出部81又は右側突出部82を用いて順番に目押しをするように遊技者に指示することができ、重なり合わない方の左側突出部81又は右側突出部82を目押しの目印として、回転リール40の回転を停止させることができる。
【００７３】
（変形例）
（１）第１の実施の形態では、リール停止指示表示部70である一つ液晶パネルに６個の矢印を表示することにより、表示領域14a内における突出部通過領域84のうち、所定の突出部通過領域84を指示するようにしている。これに対し、その変形例（１）として、リール停止指示表示部70である液晶パネルを３個備え、３個のリール停止指示表示部70である液晶パネルに、矢印を表示するようにして、表示領域14a内における突出部通過領域84のうち、所定の突出部通過領域84を指示することもできる。
この場合、具体的には、図６に示すように、横方向に並んだ、３個のリール停止指示表示部70としての液晶パネルを備えることができる。ここで、本変形例では、左端に設けられている、リール停止指示表示部70としての左側リール停止指示表示部71、右端に設けられているリール停止指示表示部70としての右側リール停止指示表示部73と、左側リール停止指示表示部71及び右側リール停止指示表示部73の間に設けられた中央リール停止指示表示部72が設けられている。
【００７４】
また、各リール停止指示表示部（71、72、73）には、それぞれ下方向を指し示す２個の矢印が表示されるように形成されている。
そして、左側リール停止指示表示部71の左端の矢印が、表示領域14a内における左回転リール41の左側突出部81が通過する領域である突出部通過領域84の上方に位置し、表示領域14a内における左回転リール41の左側突出部81が通過する領域である突出部通過領域84を指示するように形成する。
また、左側リール停止指示表示部71の右端の矢印が、表示領域14a内における左回転リール41の右側突出部82が通過する領域である突出部通過領域84の上方に位置し、表示領域14a内における左回転リール41の右側突出部82が通過する領域である突出部通過領域84を指示するように形成する。
【００７５】
また、中央リール停止指示表示部72の左端の矢印が、表示領域14a内における中回転リール42の左側突出部81が通過する領域である突出部通過領域84の上方に位置し、表示領域14a内における中回転リール42の左側突出部81が通過する領域である突出部通過領域84を指示するように形成する。
また、中央リール停止指示表示部72の右端の矢印が、表示領域14a内における中回転リール42の右側突出部82が通過する領域である突出部通過領域84の上方に位置し、表示領域14a内における中回転リール42の右側突出部82が通過する領域である突出部通過領域84を指示するように形成する。
【００７６】
また、右側リール停止指示表示部73の左端の矢印が、表示領域14a内における右回転リール43の左側突出部81が通過する領域である突出部通過領域84の上方に位置し、表示領域14a内における右回転リール43の左側突出部81が通過する領域である突出部通過領域84を指示するように形成する。
また、右側リール停止指示表示部73の右端の矢印が、表示領域14a内における右回転リール43の右側突出部82が通過する領域である突出部通過領域84の上方に位置し、表示領域14a内における右回転リール43の右側突出部82が通過する領域である突出部通過領域84を指示するように形成する。
【００７７】
また、このとき、リール停止指示表示部制御手段200は、第１の実施の形態におけるリール停止指示表示部70としての液晶パネルに表示される矢印の制御とほぼ同様の制御を、本変形例（１）におけるリール停止指示表示部70についても行う。
このように形成した変形例（１）でも、第１の実施の形態と同様の作用・効果を得ることができる。
（２）第１の実施の形態では、リール停止指示表示部70である一つ液晶パネルに６個の矢印を表示することにより、表示領域14a内における突出部通過領域84のうち、所定の突出部通過領域84を指示するようにしている。これに対し、変形例（２）として、リール停止指示表示部70であるＬＥＤを６個備え、ＬＥＤが点灯するようにして、表示領域14a内における突出部通過領域84のうち、所定の突出部通過領域84を指示することもできる。
【００７８】
この場合、具体的には、図７に示すように、横方向に並んだ、６個のリール停止指示表示部70としてのＬＥＤを備えることができる。ここで、本変形例では、左端に設けられているリール停止指示表示部70としての第１左側リール停止指示表示部71aと、左端から２番目に設けられているリール停止指示表示部70としての第２左側リール停止指示表示部71bと、左端から３番目に設けられているリール停止指示表示部70としての第１中央リール停止指示表示部72aと、左端から４番目に設けられているリール停止指示表示部70としての第２中央リール停止指示表示部72bと、左端から５番目に設けられているリール停止指示表示部70としての第１右側リール停止指示表示部73aと、左端から６番目に設けられているリール停止指示表示部70としての第２右側リール停止指示表示部73bとが設けられている。
【００７９】
そして、第１左側リール停止指示表示部71aとしてのＬＥＤが、表示領域14a内における左回転リール41の左側突出部81が通過する領域である突出部通過領域84の上方に位置し、第１左側リール停止指示表示部71aとしてのＬＥＤが点灯することにより、表示領域14a内における左回転リール41の左側突出部81が通過する領域である突出部通過領域84を指示するように形成する。
また、第２左側リール停止指示表示部71bとしてのＬＥＤが、表示領域14a内における左回転リール41の右側突出部82が通過する領域である突出部通過領域84の上方に位置し、第２左側リール停止指示表示部71bとしてのＬＥＤが点灯することにより、表示領域14a内における左回転リール41の右側突出部82が通過する領域である突出部通過領域84を指示するように形成する。
【００８０】
また、第１中央リール停止指示表示部72aとしてのＬＥＤが、表示領域14a内における中回転リール42の左側突出部81が通過する領域である突出部通過領域84の上方に位置し、第１中央リール停止指示表示部72aとしてのＬＥＤが点灯することにより、表示領域14a内における中回転リール42の左側突出部81が通過する領域である突出部通過領域84を指示するように形成する。
また、第２中央リール停止指示表示部72bとしてのＬＥＤが、表示領域14a内における中回転リール42の右側突出部82が通過する領域である突出部通過領域84の上方に位置し、第２中央リール停止指示表示部72bとしてのＬＥＤが点灯することにより、表示領域14a内における中回転リール42の右側突出部82が通過する領域である突出部通過領域84を指示するように形成する。
【００８１】
また、第１右側リール停止指示表示部73aとしてのＬＥＤが、表示領域14a内における右回転リール43の左側突出部81が通過する領域である突出部通過領域84の上方に位置し、第１右側リール停止指示表示部73aとしてのＬＥＤが点灯することにより、表示領域14a内における右回転リール43の左側突出部81が通過する領域である突出部通過領域84を指示するように形成する。
また、第２右側リール停止指示表示部73bとしてのＬＥＤが、表示領域14a内における右回転リール43の右側突出部82が通過する領域である突出部通過領域84の上方に位置し、第２右側リール停止指示表示部73bとしてのＬＥＤが点灯することにより、表示領域14a内における右回転リール43の右側突出部82が通過する領域である突出部通過領域84を指示するように形成する。
【００８２】
また、このとき、リール停止指示表示部制御手段200は、第１の実施の形態におけるリール停止指示表示部70としての液晶パネルに表示される矢印の制御とほぼ同様の制御を、本変形例（２）におけるリール停止指示表示部70であるＬＥＤの点灯についても行う。
このように形成された変形例（２）でも、第１の実施の形態と同様の作用・効果を得ることができる。
（３）第１の実施の形態では、リール停止指示表示部70である一つ液晶パネルに６個の矢印を表示することにより、表示領域14a内における突出部通過領域84のうち、所定の突出部通過領域84を指示するようにしている。これに対し、変形例（３）として、リール停止指示表示部70である一つ液晶パネルに３個の矢印を表示することにより、表示領域14a内における突出部通過領域84のうち、所定の突出部通過領域84を指示することもできる。
【００８３】
この場合、図８に示すように、リール停止指示表示部70である一つ液晶パネルは、矢印を表示することにより、回転リール40自体しか指示することができない。しかし、以下のように、回転リール40を指示することで表示領域14a内における突出部通過領域84のうち、所定の突出部通過領域84を指示することもできる。
具体的には、本実施の形態においては、全ての回転リール40が回転すると、左回転リール41の右側突出部82と、中回転リール42の左側突出部81とが重なり合い、左回転リール41の右側突出部82及び中回転リール42の左側突出部81は、回転リール40を停止させる際の目印となりにくい。また、同様に、全ての回転リール40が回転すると、中回転リール42の右側突出部82と、右回転リール43の左側突出部81とが重なり合い、中回転リール42の右側突出部82及び右回転リール43の左側突出部81は、回転リール40を停止させる際の目印となりにくい。
【００８４】
したがって、本変形例（３）においては、リール停止指示表示部70が、左回転リール41を指示すれば、他の回転リール40の左側突出部81及び右側突出部82と重なり合わない左回転リール41の左側突出部81が、回転リール40を停止させる際の目印となることを示唆し、リール停止指示表示部70が、右回転リール43を指示すれば、他の回転リール40の左側突出部81又は右側突出部82と重なり合わない右回転リール43の右側突出部82が、回転リール40を停止させる際の目印となることを示唆することができる。
したがって、本変形例において、リール停止指示表示部70が左回転リール41を指示することで、表示領域14a内における左回転リール41の左側突出部81が通過する領域である突出部通過領域84を指示することができる。また、同様に、リール停止指示表示部70が右回転リール43を指示することで、表示領域14a内における右回転リール43の右側突出部82が通過する領域である突出部通過領域84を指示することができる。
【００８５】
すなわち、リール停止指示表示部70が回転リール40を指示することで、所定の突出部通過領域84を指示する意味付けすることができる。
また、リール停止指示表示部70を、それぞれ下方向を指し示す３個の矢印が表示されるように形成する。
そして、リール停止指示表示部70の左端の矢印が、左回転リール41の上方に位置し、左回転リール41を指示するように形成する。
また、リール停止指示表示部70の中央の矢印が、中回転リール42の上方に位置し、中回転リール42を指示するように形成する。
【００８６】
また、リール停止指示表示部70の右端の矢印が、右回転リール43の上方に位置し、右回転リール43を指示するように形成する。
また、このとき、リール停止指示表示部制御手段200は、具体的には、当選抽選手段120の抽選結果により、赤７ＢＢ当選に当選した場合には、リール停止指示表示部制御手段200は、左回転リール41、中回転リール42、右回転リール43の順で指示するように、リール停止指示表示部70の動作を制御する。また、例えば、当選抽選手段120の抽選結果により、青７ＢＢ当選に当選した場合には、右回転リール43、中回転リール42、左回転リール41の順で指示するように、リール停止指示表示部70の動作を制御する。
【００８７】
このように形成された変形例（３）でも、第１の実施の形態と同様の作用・効果を得ることができる。
（４）上記変形例（３）では、リール停止指示表示部70である一つ液晶パネルに３個の矢印を表示することにより、回転リール40を指示するとともに、表示領域14a内における後述する突出部通過領域84のうち、所定の突出部通過領域84を指示している。これに対し、変形例（４）として、リール停止指示表示部70であるＬＥＤを３個備え、ＬＥＤが点灯することにより、回転リール40を指示するとともに、表示領域14a内における後述する突出部通過領域84のうち、所定の突出部通過領域84を指示することもできる。
【００８８】
また、この場合、具体的には、図９に示すように、横方向に並んだ、３個のリール停止指示表示部70としてのＬＥＤを備えることができる。ここで、本変形例では、左端に設けられているリール停止指示表示部70としての左側リール停止指示表示部71と、中央に設けられているリール停止指示表示部70としての中央リール停止指示表示部72と、右端に設けられているリール停止指示表示部70としての右側リール停止指示表示部73とが設けられている。
そして、左側リール停止指示表示部71としてのＬＥＤが、左回転リール41の上方に位置し、左側リール停止指示表示部71としてのＬＥＤが点灯することにより、左回転リール41を指示するように形成する。
【００８９】
また、中央リール停止指示表示部72としてのＬＥＤが、中回転リール42の上方に位置し、中央リール停止指示表示部72としてのＬＥＤが点灯することにより、中回転リール42を指示するように形成する。
また、右側リール停止指示表示部73としてのＬＥＤが、右回転リール43の上方に位置し、右側リール停止指示表示部73としてのＬＥＤが点灯することにより、右回転リール43を指示するように形成する。
なお、回転リール40を指示することにより、表示領域14a内における後述する突出部通過領域84のうち、所定の突出部通過領域84を指示することもできることについては、上記変形例（３）と同様である。
【００９０】
また、リール停止指示表示部制御手段200については、上記変形例（３）と同様である。
このように形成された変形例（４）でも、第１の実施の形態と同様の作用・効果を得ることができる。
（第２の実施の形態）
以下、本発明にかかる第２の実施の形態について図面を参照しつつ説明する。
（図面の説明）
図１０は、第２の実施の形態にかかるスロットマシン10のリールテープ30を示す図面である。
【００９１】
第１の実施の形態においては、ＢＢ当選として、「赤７」の図柄51の組み合わせ（「赤７」「赤７」「赤７」）の構成からなる「赤７ＢＢ当選」、及び「青７」の図柄51の組み合わせ（「青７」「青７」「青７」）の構成からなる「青７ＢＢ当選」の２種類が備えられている。これに対し、第２の実施の形態においては、ＢＢ当選として、「赤７」の図柄51の組み合わせ（「赤７」「赤７」「赤７」）の構成からなる「赤７ＢＢ当選」、「青７」の図柄51の組み合わせ（「青７」「青７」「青７」）の構成からなる「青７ＢＢ当選」及び「緑７」の図柄51の組み合わせ（「緑７」「緑７」「緑７」）の構成からなる「緑７ＢＢ当選」の３種類を備えている。
【００９２】
また、第１の実施の形態においては、リールテープ30における図柄51のうち、「赤７」及び「青７」の２種類を特定図柄52としている。これに対し、第２の実施の形態においては、図１０に示すように、「赤７」、「青７」、「緑７」（図１０中、白抜き表示されている「７」）の３種類を特定図柄52としている。また、この場合、「赤７」を第１特定図柄52aとし、「青７」を第２特定図柄52bとし、「緑７」を第３特定図柄52cとする。
また、第１の実施の形態においては、各リールテープ30に形成された左側突出部81は、所定の特定図柄52である「赤７」（第１特定図柄52a）の表示位置に対応して設けられている。また、右側突出部82は、「赤７」以外の他の特定図柄52である「青７」（第２特定図柄52b）の表示位置に対応して設けられている。これに対し、第２の実施の形態においては、図１０に示すように、各リールテープ30に形成された左側突出部81は、所定の特定図柄52である「赤７」（第１特定図柄52a）の表示位置に対応して設けられている。また、右側突出部82は、「赤７」以外の他の特定図柄52である「青７」（第２特定図柄52b）及び「緑７」の表示位置に対応して設けられている。
【００９３】
ここで、第２の実施の形態における「青７」の図柄51及び「緑７」の図柄51は、回転リール40の回転方向に隣接して表示されている。また、２種類以上の特定図柄52であって、回転リール40の回転を停止させるための操作が行われてから回転リール40の回転が停止するまでの間に、回転リール40の移動可能なコマ数の範囲内に表示されている近接特定図柄53とする。
また、第２の実施の形態においては、第１の実施の形態と同様に、停止制御手段130により、ストップスイッチ50が操作されてから、ストップスイッチ50が操作された時点で有効ライン上に直ちに停止できる図柄51を基準として（以下この図柄51を「基準図柄」とする。）、対応する回転リール40が停止するまでに、基準図柄から回転方向に予め定められた個数（最大スベリコマ数、例えば、５コマ）、図柄51が移動するので、「緑７」が有効ライン上に直ちに停止できる図柄51としてストップスイッチ50が操作されると、青７ＢＢ当選の場合、「青７」が有効ライン上に停止するように形成されている。したがって、「青７」の図柄51と「緑７」の図柄51とは、近接特定図柄53となっている。
【００９４】
また、以下、第２の実施の形態における、リール停止指示表示部制御手段200等について述べる。また、第２の実施の形態は、上記した当選役、特定図柄52、右側突出部82及びリール停止指示表示部制御手段200等以外については、第１の実施の形態とほぼ同様である。
（リール停止指示表示部制御手段200）
第２の実施の形態においても、第１の実施の形態と同様に、リール停止指示表示部制御手段200は、リール停止指示表示部70の動作を制御するためのものである。例えば、当選抽選手段120の抽選結果により、赤７ＢＢ当選に当選した場合には、リール停止指示表示部制御手段200は、第１特定図柄52aである「赤７」の表示位置に対応して設けられている左側突出部81が表示領域14a内を通過する領域である突出部通過領域84を指示するように、リール停止指示表示部70の動作を制御する。
【００９５】
また、例えば、当選抽選手段120の抽選結果により、青７ＢＢ当選に当選した場合には、リール停止指示表示部制御手段200は、第２特定図柄52bである「青７」の表示位置に対応して設けられている右側突出部82が表示領域14a内を通過する領域である突出部通過領域84を指示するように、リール停止指示表示部70の動作を制御する。
また、例えば、当選抽選手段120の抽選結果により、緑７ＢＢ当選に当選した場合には、リール停止指示表示部制御手段200は、第３特定図柄52cである「緑７」の表示位置に対応して設けられている右側突出部82が表示領域14a内を通過する領域である突出部通過領域84を指示するように、リール停止指示表示部70の動作を制御する。
【００９６】
リール停止指示表示部制御手段200によるリール停止指示表示部70の動作の具体例については、第１の実施の形態と同様である。
（第２の実施の形態におけるリール停止指示表示部70の動作）
第２の実施の形態においても、当選抽選手段120の抽選結果により、赤７ＢＢ当選に当選した場合及び青７ＢＢ当選に当選した場合についてのリール停止指示表示部70の動作は、第１の実施の形態と同様である。
また、例えば、当選抽選手段120の抽選結果により、緑７ＢＢ当選に当選した場合、まず、リール停止指示表示部70は、右回転リール43の右側突出部82が通過する領域である突出部通過領域84を指示する。具体的には、リール停止指示表示部制御手段200は図４中のリール停止指示表示部70における、左端から６番目にある矢印が点灯するようにリール停止指示表示部70の動作を制御する。そして、遊技者は、リール停止指示表示部70が指示する突出部通過領域84における右側突出部82を目印にして、右回転リール43を停止させる。
【００９７】
遊技者が、右回転リール43の回転を停止させると、リール停止指示表示部70は、中回転リール42の右側突出部82が通過する領域である突出部通過領域84を指示する。具体的には、リール停止指示表示部制御手段200は、図４中のリール停止指示表示部70における、左端から４番目にある矢印が点灯するようにリール停止指示表示部70の動作を制御する。そして、遊技者は、リール停止指示表示部70が指示する突出部通過領域84における右側突出部82を目印にして、中回転リール42を停止させる。
遊技者が、中回転リール42の回転を停止させると、リール停止指示表示部70は、左回転リール41の右側突出部82が通過する領域である突出部通過領域84を指示する。具体的には、リール停止指示表示部制御手段200は、図４中のリール停止指示表示部70における、左端から２番目にある矢印が点灯するようにリール停止指示表示部70の動作を制御する。そして、遊技者は、リール停止指示表示部70が指示する突出部通過領域84における右側突出部82を目印にして、左回転リール41を停止させる
なお、第２の実施の形態において、「青７」及び「緑７」の２種類の特定図柄52を近接特定図柄53としているが、回転リール40の回転を停止させるための操作が行われてから回転リール40の回転が停止するまでの間に、回転リール40の移動可能なコマ数の範囲内に表示されているものであれば、３種類の特定図柄52を近接特定図柄53としても良いし、それ以上の数の種類の特定図柄52を近接特定図柄53としても良い。
【００９８】
また、第２の実施の形態においては、近接特定図柄53の表示位置に対応して右側突出部82を設けているが、近接特定図柄53の表示位置に対応して左側突出部81を設けても良いし、近接特定図柄53の表示位置に対応して左側突出部81及び右側突出部82の双方を設けても良い。
また、第２の実施の形態においても、第１の実施の形態と同様の変形例（１）ないし（４）の実施が可能である。
（作用・効果）
第２の実施の形態においても、第１の実施の形態と同様の作用・効果を得ることができる。
【００９９】
また、第２の実施の形態においては、特定図柄52を３種類（「赤７」、「青７」及び「緑７」）有する場合であっても、「青７」と「緑７」とが近接特定図柄53である場合には、右側突出部82を、近接特定図柄53である「青７」及び「緑７」に対応させることができ、３種類以上の特定図柄52を有する場合にも、回転リール40の回転を停止させる際の目押しの目印を設けることができる。
【図面の簡単な説明】
【０１００】
【図１】第１の実施の形態にかかる遊技機であるスロットマシンの正面図である。
【図２】第１の実施の形態にかかる遊技機であるスロットマシンの入力、制御及び出力を示すブロック図である。
【図３】第１の実施の形態にかかるリールユニットの外観斜視図である。
【図４】第１の実施の形態にかかるスロットマシン10の表示窓14付近を示す拡大正面図である。
【図５】第１の実施の形態にかかる回転リールの周囲に貼付されるリールテープを示す図面である。
【図６】第１の実施の形態における変形例にかかるスロットマシンの表示窓付近を示す拡大正面図である。
【図７】第１の実施の形態における変形例にかかるスロットマシンの表示窓付近を示す拡大正面図である。
【図８】第１の実施の形態における変形例にかかるスロットマシンの表示窓付近を示す拡大正面図である。
【図９】第１の実施の形態における変形例にかかるスロットマシンの表示窓付近を示す拡大正面図である。
【図１０】第２の実施の形態にかかるスロットマシンのリールテープを示す図面である。
【符号の説明】
【０１０１】
10    スロットマシン
11    メダル投入口                    12    メダル排出口
13    メダル受皿                      14    表示窓
14a   表示領域
15    投入スイッチ                    16    ベットスイッチ
17    精算スイッチ                    18    操作部
20    スタートスイッチ                21    枠体
22    リールユニット                  24    ホッパー
25    駆動装置
30    リールテープ                    31    左リールテープ
32    中リールテープ                  33    右リールテープ
40    回転リール                      41    左回転リール
42    中回転リール                    43    右回転リール
50    ストップスイッチ
51    図柄                            52    特定図柄
52a   第１特定図柄                    52b   第２特定図柄
52c   第３特定図柄                    53    近接特定図柄
60    演出表示部
70    リール停止指示表示部            71    左側リール停止指示表示部
71a   第１左側リール停止指示表示部    71b   第２左側リール停止指示表示部
72    中央リール停止指示表示部        72a   第１中央リール停止指示表示部
72b   第２中央リール停止指示表示部
73    右側リール停止指示表示部        73a   第１右側リール停止指示表示部
73b   第２右側リール停止指示表示部
80    突出部                          81    左側突出部
82    右側突出部                      84    突出部通過領域
91    中段ライン                      92    上段ライン
93    下段ライン                      94    右上がりライン
95    右下がりライン
100   制御装置                        110   遊技制御手段
120   当選抽選手段                    122   乱数発生手段
124   乱数抽出手段                    126   当選判定テーブル
128   当選判定手段                    130   停止制御手段
140   入賞判定手段                    150   演出制御手段
200   リール停止指示表示部制御手段
【図１】
2008229110.tif 000003
【図２】
2008229110.tif 000004
【図３】
2008229110.tif 000005
【図４】
2008229110.tif 000006
【図５】
2008229110.tif 000007
【図６】
2008229110.tif 000008
【図７】
2008229110.tif 000009
【図８】
2008229110.tif 000010
【図９】
2008229110.tif 000011
【図１０】
2008229110.tif 000012